(57)【要約】【課題】携帯端末で接続先を効率的に選択できるようにする。【解決手段】ディスプレイ４に表示された電話帳の一覧画面には、電話帳に記憶されている相手先の名前が上下方向に一覧表示される。名前は、上キー２１と下キー２２で上下動するカーソルによってフォーカスされており、決定キー２３を押下するとフォーカスされている相手先に発呼したり、登録内容を編集したりすることができる。上キー２１と下キー２２の押下には、短押しと長押しの２つのモードがあり、携帯電話１は、短押しの場合には、フォーカスを１つずつ移動し、長押しの場合には、フォーカスを前後の頭文字の名前まで移動させる。このように、携帯電話１では、カーソルキーに短押しと長押しの２つのモードを備えることにより、効率的なフォーカス移動と、キーの設置スペースの省略を図ることができる。【選択図】図１
2009194636.tif 000002
【特許請求の範囲】
【請求項１】
接続先の端末に対応づけられた識別名称と、当該端末に接続するための接続コードと、を対応づけた接続支援データを記憶する接続支援データ記憶手段と、
所定キーの選択操作を受け付けて、これに対応する接続支援データの識別名称を接続先候補として提示する接続先候補提示手段と、
を具備し、
前記接続先候補提示手段は、
前記所定キーが第１の状態にて選択操作された場合には、接続先候補を所定の順序に従って順次提示し、前記所定キーが第２の状態で選択操作された場合には、接続先候補を前記所定の順序に対して離散的に提示することを特徴とすることを携帯端末。
【請求項２】
前記第１の状態は、前記所定キーを所定時間未満押下する状態であり、前記第２の状態は、前記所定キーを所定時間以上押下する状態であることを特徴とする請求項１に記載の携帯端末。
【請求項３】
前記所定の順序は前記識別名称を構成する文字の文字順であり、前記所定キーが第２の状態で操作された場合、前記接続先候補提示手段は、頭文字の文字順で前記接続先候補を離散的に提示することを特徴とする請求項１、又は請求項２に記載の携帯端末。
【請求項４】
前記所定の順序は前記識別名称を構成する文字の文字順であり、前記所定キーが第２の状態で操作された場合、前記接続先候補提示手段は、所定の接続支援データの個数単位で前記接続先候補を離散的に提示することを特徴とする請求項１、又は請求項２に記載の携帯端末。
【請求項５】
前記所定キーには、前記接続先候補を、前記所定の順序の降順方向に提示する第１の所定キーと、前記所定の順序の昇順方向に提示する第２の所定キーがあることを特徴とする請求項１から請求項４までのうちの何れか１の請求項に記載の携帯端末。
【請求項６】
前記提示した接続先候補に対する接続要求を受け付ける接続要求受付手段と、
前記接続要求を受け付けた接続先候補の接続コードを用いて、当該接続先候補となっている端末に接続する接続手段と、
を具備したことを特徴とする請求項１から請求項５までのうちの何れか１の請求項に記載の携帯端末。
【発明の詳細な説明】
【技術分野】
【０００１】
本発明は、携帯端末に関し、例えば、電話帳機能を有する携帯電話に関する。
【背景技術】
【０００２】
近年携帯電話の普及がめざましく、日常的に用いられるようになってきたが、これら携帯電話は、一般的に電話帳機能を有している。
電話帳機能とは、相手先の名前や電話番号などを予め記憶しておき、これらを画面操作で選択して発呼するものである。
このような技術として次の特許文献１の「電子電話帳を備えた移動通信端末装置」がある。
【特許文献１】特開平１１−１３６３４０号公報
【０００３】
この技術は、電話帳にしおりを作成し、しおりに対応づけられた数字キーを押下することにより、しおりのページにジャンプするものである。
これにより、効率的に電話帳データを検索することができる。
【発明の開示】
【発明が解決しようとする課題】
【０００４】
しかし、この方法によると、電話帳データにて特定の相手先を指し示すフォーカスを移動のためのキーとして、カーソルキー以外にダイヤルキーパッド（テンキー）を必要とする。
このため、検索方向が一方向に限定され、必ずしも効率的でない場合がある。例えば、「ア→イ→ウ→エ→オ」方向の検索は、少ない操作回数で行うことができるが、逆方向の検索には、多くの操作が必要となる。
【０００５】
そこで、本発明は、携帯端末で接続先を効率的に選択できるようにすることである。
【課題を解決するための手段】
【０００６】
本発明は、前記目的を達成するために、請求項１に記載の発明では、接続先の端末に対応づけられた識別名称と、当該端末に接続するための接続コードと、を対応づけた接続支援データを記憶する接続支援データ記憶手段と、所定キーの選択操作を受け付けて、これに対応する接続支援データの識別名称を接続先候補として提示する接続先候補提示手段と、を具備し、前記接続先候補提示手段は、前記所定キーが第１の状態にて選択操作された場合には、接続先候補を所定の順序に従って順次提示し、前記所定キーが第２の状態で選択操作された場合には、接続先候補を前記所定の順序に対して離散的に提示することを特徴とする携帯端末を提供する。
請求項２に記載の発明では、前記第１の状態は、前記所定キーを所定時間未満押下する状態であり、前記第２の状態は、前記所定キーを所定時間以上押下する状態であることを特徴とする請求項１に記載の携帯端末を提供する。
請求項３に記載の発明では、前記所定の順序は前記識別名称を構成する文字の文字順であり、前記所定キーが第２の状態で操作された場合、前記接続先候補提示手段は、頭文字の文字順で前記接続先候補を離散的に提示することを特徴とする請求項１、又は請求項２に記載の携帯端末を提供する。
請求項４に記載の発明では、前記所定の順序は前記識別名称を構成する文字の文字順であり、前記所定キーが第２の状態で操作された場合、前記接続先候補提示手段は、所定の接続支援データの個数単位で前記接続先候補を離散的に提示することを特徴とする請求項１、又は請求項２に記載の携帯端末を提供する。
請求項５に記載の発明では、前記所定キーには、前記接続先候補を、前記所定の順序の降順方向に提示する第１の所定キーと、前記所定の順序の昇順方向に提示する第２の所定キーがあることを特徴とする請求項１から請求項４までのうちの何れか１の請求項に記載の携帯端末を提供する。
請求項６に記載の発明では、前記提示した接続先候補に対する接続要求を受け付ける接続要求受付手段と、前記接続要求を受け付けた接続先候補の接続コードを用いて、当該接続先候補となっている端末に接続する接続手段と、を具備したことを特徴とする請求項１から請求項５までのうちの何れか１の請求項に記載の携帯端末を提供する。
【発明の効果】
【０００７】
本発明によれば、キー操作に２つのモードを設けることにより、接続先を効率的に選択できる。
【発明を実施するための最良の形態】
【０００８】
（１）実施の形態の概要
ディスプレイ４（図１）に表示された電話帳の一覧画面には、電話帳に記憶されている相手先の名前が上下方向に一覧表示される。
名前は、上キー２１と下キー２２で上下動するカーソルによってフォーカスされており、決定キー２３を押下するとフォーカスされている相手先に発呼したり、登録内容を編集したりすることができる。
上キー２１と下キー２２の押下には、短押しと長押しの２つのモードがあり、携帯電話１は、短押しの場合には、フォーカスを１つずつ移動し、長押しの場合には、フォーカスを次の頭文字の名前まで移動（ジャンプ）させる。
このように、携帯電話１では、カーソルキーに短押しと長押しの２つのモードを備えることにより、効率的なフォーカス移動と、キーの設置スペースの省略を図ることができる。
【０００９】
（２）実施の形態の詳細
本実施の形態では、携帯端末の一例として携帯電話を用いるが、これは、携帯端末を携帯電話に限定するものではなく、例えば、固定電話機や無線通信機など、電話帳機能を有する携帯端末に広く適用できるものである。
【００１０】
図１は、本実施の形態に係る携帯電話１の外観の一例を示した図である。
携帯電話１は、携帯電話を構成しており、スピーカ３、ディスプレイ４、キー５、マイク６を備えている。
スピーカ３は、例えば、通話相手の音声や、録音されたメッセージの再生などを行う。
マイク６は、通話の際などにユーザの音声を電気信号に変換する。
ディスプレイ４は、液晶ディスプレイなどの表示デバイスを用いて構成されている。
ディスプレイ４には、例えば、電話帳画面やその他の画面が表示される。
【００１１】
キー５は、電話帳画面上のフォーカス（後述）やカーソルなどを移動させたり、その他の特殊機能を発揮させたりなどするための機能キー１５と、文字や数字などを入力するための文字キー１６などから構成されている。
機能キー１５のうち、上キー２１は、フォーカスやカーソルなどを画面上で上方に移動するためのキーであり、下キー２２は、これらを下方に移動するためのキーである。
決定キー２３は、ユーザが何らかの選択を決定した場合などに押下するキーであり、電話帳画面においては、フォーカスされたデータを接続先として決定する際に押下する。
【００１２】
図２は、変形例に係る携帯電話１００の外観の一例を示した図である。
携帯電話１００は、ディスプレイ４、上下キー２５、メニューキー２６、決定キー２７、取消キー２８などを備えている。
携帯電話１００は、携帯電話１より小型に形成されており、文字キー１６は省略されている。
ディスプレイ４は、液晶ディスプレイなどの表示デバイスを用いて構成されている。
ディスプレイ４には、例えば、電話帳画面やその他の画面が表示される。
【００１３】
上下キー２５は、上部部分と下部部分を選択的に押下することができ、携帯電話１００は、上部部分が押下された場合にはフォーカスなどを上方に移動し、下部部分が押下された場合にはフォーカスなどを下方に移動する。
即ち、上下キー２５の上部部分が上キー２１（図１）に対応し、下部部分が下キー２２に対応している。
【００１４】
メニューキー２６は、メニュー画面を表示するためのキーである。
決定キー２７は、決定キー２３（図１）に対応するキーであり、電話帳画面においては、フォーカスされたデータを接続先として決定する際に押下するためのキーである。
取消キー２８は、操作を取り消すためのキーである。
このように、携帯端末は各種の形態が可能であるが、以下では、一例として携帯電話１を用いて説明する。
【００１５】
図３の各図は、電話帳画面の一例を示した図である。
電話帳画面には、一覧画面３１と詳細画面３３の２つの画面があり、図３（ａ）は、これらのうちの一覧画面３１を示している。
一覧画面３１では、電話帳に登録されている相手先のデータ（以下、相手先データ）が、名前によって五十音順に複数件表示され、これらのうちの１件がカーソル３２によってフォーカス（選択）されている。
ここで、フォーカスとは、例えば、発呼や編集など、操作対象となっている相手先データを他の相手先データから選択・指定された状態を意味する。
【００１６】
カーソル３２は、上キー２１、下キー２２によって画面内を上下方向に移動され、これに伴ってフォーカスされる相手先データが順次変化する。
ユーザが所望の相手先データをフォーカスした状態で決定キー２３を押下すると、携帯電話１は、フォーカスされた相手先に電話を発呼する。
【００１７】
このように、携帯電話１は、提示した接続先候補に対する接続要求を、例えば、決定キー２３で受け付ける接続要求受付手段と、当該接続要求を受け付けた接続先候補の接続コード（電話番号）を用いて、当該接続先候補となっている端末に接続する接続手段を備えている。
また、下キー２２は、接続先候補を、降順方向に提示する第１の所定キーとして機能し、上キー２１は昇順方向に提示する第２の所定キーとして機能している。
【００１８】
図３（ｂ）は、詳細画面３３を示した図である。
詳細画面３３では、一覧画面３１で相手先データをフォーカスした状態で、例えば、ソフトキーなどにて構成された編集キーを選択すると表示される。
詳細画面３３では、フォーカスされていた相手先データの詳細が表示され、例えば、名前、読み、電話番号（電話１、電話２）などの項目から構成されている。そして、カーソル３４によってフォーカスを移動させ、決定キー２３を押下すると、当該項目が編集可能となる。
【００１９】
図４は、携帯電話１のハードウェア的な構成の一例を示した図である。
スピーカ３は、ＣＰＵ（Ｃｅｎｔｒａｌ  Ｐｒｏｃｅｓｓｉｎｇ  Ｕｎｉｔ）２からの制御を受けて、通話相手の音声など、各種音声を出力する。
ディスプレイ４は、ＣＰＵ２からの制御を受けて、着信履歴画面などの各種の画面を表示する。
【００２０】
キー５は、例えば、上キー２１、下キー２２、決定キー２３の操作を受け付けてＣＰＵ２に当該操作を入力したり、その他のキーの入力を受け付けてＣＰＵ２に当該操作を入力する。
マイク６は、ユーザの通話音声などを電気変換し、これによる音声信号はデジタル化された後ＣＰＵ２に入力される。
【００２１】
ＲＦ回路７は、アンテナを備えており、図示しない基地局とＣＰＵ２を無線通信により接続する。
これにより、ＣＰＵ２は、基地局を介して、電話帳でフォーカスされた相手先の端末を発呼したり、通話回線を確立して音声通信を行ったりすることができる。
【００２２】
ＲＯＭ８は、読み取り専用のメモリであり、ＣＰＵ２が携帯電話１で必要とされる機能を発揮するためのプログラムやパラメータなどが記憶されている。
ＲＡＭ９は、読み書きが可能なメモリであって、ＣＰＵ２が各種の情報処理を行う際のワーキングメモリを提供する。
バッテリ１４は、ＣＰＵ２やその他の機能部を駆動するための電力を提供する。
【００２３】
ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１０は、読み書きが可能なメモリであって、バッテリ１４による電力供給がなくても記憶内容を保持することができる。
ＥＥＰＲＯＭ１０には、ＣＰＵ２に電話帳機能を発揮させるための電話帳プログラム１１を記憶するほか、相手先データを記憶したデータベースである電話帳データ記憶部１２などが形成されている。
【００２４】
図５は、電話帳データ記憶部１２に記憶された相手先データの一例を示した図である。
図に示したように、相手先データは、「番号」、「名前」、「読み」、「電話番号」、その他の項目から構成されており、電話帳データ記憶部１２は、これらを項目「番号」にて順序づけて記憶している。
【００２５】
項目「番号」は、相手先データを「読み」の五十音順に並べた場合に、携帯電話１が降順に付与した番号である。相手先データは、この番号によって順序づけられている。
項目「名前」は、相手先データを識別するための名称であり、通常は、相手先の端末を所有する所有者の名前が仮名漢字・英数字などにより設定されている。一覧画面３１では、項目「名前」に設定されている文字列がフォーカス対象として表示される。
【００２６】
項目「読み」は、項目「名前」に対する読みをカタカナで設定したものである。なお、「名前」が英数字である場合には、英数字で設定されている。
なお、項目「番号」は、相手先データを、項目「読み」をカタカナの五十音順、次いで、英字のアルファベット順、次いで、数字の順に並べて付与されている。
このように、英語やロシア語など、他の言語も含めて文字順を規定することができる。
項目「名前」や項目「読み」は、接続先の端末に対応づけられた識別名称として機能している。
【００２７】
項目「電話番号」は、相手先の端末に接続するための電話番号であり、接続先の端末に接続するための接続コードとして機能している。
ユーザが相手先データをフォーカスした状態で決定キー２３を押下すると、携帯電話１は、当該電話番号を用いて発呼する。
このように、相手先データは、接続先の端末に対応づけられた識別名称と、当該端末に接続するための接続コードと、を対応づけた接続支援データとして機能し、電話帳データ記憶部１２はこれら接続支援データ（相手先データ）を記憶する接続支援データ記憶手段として機能している。
【００２８】
図６は、携帯電話１の機能的な構成を説明するための図である。
これらの構成は、電話帳プログラム１１（図４）をＣＰＵ２で実行することにより構成される。ただし、電話帳データ記憶部１２は、ＥＥＰＲＯＭ１０にデータベースとして構成されている。
【００２９】
操作入力部４１は、ユーザからのキー操作を受け付ける機能部であり、上キー２１、下キー２２、決定キー２３などの押下状態を制御部４２に通知する。
制御部４２は、キー操作検出部４３、相手先データ検索部４４、表示制御部４５などから構成されている。
【００３０】
キー操作検出部４３は、操作入力部４１から入力されたキー操作を検出する機能部である。
キー操作検出部４３は、押下されたキーを特定し、特定したキーが上キー２１、下キー２２であった場合には、その押下状態が継続している時間を計測する。
そして、押下時間が所定時間（例えば、１秒）未満であった場合には、短押しであると判断し、所定時間以上である場合には長押しであると判断する。
【００３１】
相手先データ検索部４４は、一覧画面３１に表示する所定件数（例えば４件）の相手先データを検索する。
表示制御部４５は、一覧画面３１や詳細画面３３を表示するための画面データを生成する機能部であり、一覧画面３１に関しては、相手先データ検索部４４が検索した相手先データの項目「名前」を項目「番号」順に表示すると共に、カーソル３２を名前に合わせて表示してフォーカスを設定し、キー操作検出部４３が検出したキー操作に従ってカーソル３２を上下動させてフォーカスを移動させる。
表示部４６は、表示制御部４５が生成した画面データを用いてディスプレイ４に画面を表示させる。
【００３２】
図７は、一覧画面３１の画面遷移例を説明するための図である。
ここでは、一覧画面３１ａを初期状態とし、上キー２１、下キー２２の短押しと長押しによって画面がどのように遷移するか説明する。
一覧画面３１ａでは、「相田」、「猪井」、「飯島」、「飯盛」が番号（図５）の降順に表示され、カーソル３２によって「飯島」がフォーカスされている。
なお、１、２、・・・と、番号が増大する順を降順（下方向）とし、その逆を昇順（上方向）とする。
【００３３】
一覧画面３１ａの状態で上キー２１を短押しすると一覧画面３１ｂに遷移する。
一覧画面３１ｂでは、カーソル３２が「飯島」から「猪井」に移動し、「猪井」がフォーカスされている。
このように、携帯電話１は、上キー２１が短押しされると、フォーカスを１つ上方向の相手先データに移動する。
【００３４】
一方、一覧画面３１ａの状態で下キー２２を短押しすると一覧画面３１ｄに遷移する。
一覧画面３１ｄでは、カーソル３２が「飯島」から「飯盛」に移動し、「飯盛」がフォーカスされている。
このように、携帯電話１は、下キー２２が短押しされると、フォーカスを１つ下方向の相手先データに移動する。
【００３５】
また、一覧画面３１ａの状態で上キー２１を長押しすると一覧画面３１ｃに遷移する。
一覧画面３１ｃでは、カーソル３２が「飯島」から「相田」に移動し、「相田」がフォーカスされている。
【００３６】
携帯電話１は、上キー２１が長押しされると、長押しされる前にフォーカスされていた相手先データの頭文字（ここでは、「飯島」の読みの「イイジマ」の「イ」）の１つ上の頭文字（ここでは「イ」の１つ上で「ア」）が設定されている相手先データのうちの最も下のもの（ここでは、「相田」）にフォーカスを移動する。
【００３７】
このように、１つ上の頭文字の最も下の相手先データに移行することにより、上キー２１を長押しした後、引き続いて上キー２１を短押しすることにより、相手先データを下から遡っていくことができ、同じキーを継続的に操作しながら所望の相手先データにフォーカスを移動することができる。
【００３８】
また、一覧画面３１ａの状態で下キー２２を長押しすると一覧画面３１ｅに遷移する。
一覧画面３１ｅでは、カーソル３２が「飯島」から「植嶋」に移動し、「植嶋」がフォーカスされている。
【００３９】
携帯電話１は、下キー２２が長押しされると、長押しされる前にフォーカスされていた相手先データの頭文字（ここでは、「飯島」の読みの「イイジマ」の「イ」）の１つ下の頭文字（ここでは「イ」の１つ下で「ウ」）が設定されている相手先データのうちの最も上のもの（ここでは、「植嶋」）にフォーカスを移動する。
【００４０】
このように、１つ下の頭文字の最も上の相手先データに移行することにより、下キー２２を長押しした後、引き続いて下キー２２を短押しすることにより、相手先データを上から下の順に選択することができ、同じキーを継続的に操作しながら所望の相手先データにフォーカスを移動することができる。
【００４１】
また、フォーカス移動の際は、「ア→イ→ウ→・・・→ア→イ→ウ→・・・」のように循環するように設定し、例えば、相手先データの最下端の頭文字が「ワ」であった場合、更に下キー２２を長押しした場合には頭文字「ア」にフォーカスするように構成してもよい。
【００４２】
このように、携帯電話１は、所定キー（上キー２１、下キー２２）の選択操作を受け付けて、これに対応する接続支援データ（相手先データ）の識別名称（名前）を接続先候補として一覧画面３１に提示する接続先候補提示手段を備えている。
また、当該接続先候補提示手段は、当該所定キーが第１の状態（短押し）にて選択操作された場合には、接続先候補を所定の順序に従って順次提示し、当該所定キーが第２の状態（長押し）で選択操作された場合には、接続先候補を前記所定の順序に対して離散的に提示している。
【００４３】
図８は、携帯電話１が一覧画面３１でフォーカスを移動する手順を説明するためのフローチャートである。
以下の処理は、ＣＰＵ２が電話帳プログラム１１に従って行うものである。
まず、携帯電話１は、電話帳データ記憶部１２に記憶された相手先データを検索して一覧表示する（ステップ５）。
この表示は、例えば、デフォルトとして「番号」が１番〜４番までの相手先データの名前を表示し、「番号」が１番の相手先データにフォーカスする。
【００４４】
次に、携帯電話１は、上キー２１、又は下キー２２が押下されたか否かを監視する（ステップ１０）。
上キー２１、又は下キー２２が長押しされると（ステップ１０；長押し）、携帯電話１は、キーに従って上、又は下の次の存在する頭文字の相手先データを検索する（ステップ１５）。
例えば、頭文字「ア」の相手先データの次に頭文字「イ」の相手先データが存在しない場合には、頭文字「ウ」以降の相手先データにジャンプする。
検索が成功しなかった場合（ステップ２０；Ｎ）、携帯電話１は、ステップ１０に戻る。
【００４５】
検索が成功した場合（ステップ２０；Ｙ）、携帯電話１は、次の頭文字の相手先データにフォーカスを移動する（ステップ２５）。
ユーザが操作によって電話帳機能を終了させる場合（ステップ３０；Ｙ）、携帯電話１は、電話帳機能を終了し、電話帳機能を終了させない場合（ステップ３０；Ｎ）、携帯電話１は、ステップ１０に戻る。
【００４６】
一方、ステップ１０で上キー２１、又は下キー２２が短押しされると（ステップ１０；短押し）、携帯電話１は、キーに従って上、又は下に１つ分だけフォーカスを移動し（ステップ３５）、ステップ１０に戻る。
【００４７】
（変形例）
次に、本実施の形態の変形例について説明する。
先に説明した実施の形態では、上キー２１、下キー２２の長押しでフォーカスを頭文字単位で移動したが、本変形例では画面単位でページスクロールして移動する。
図９は、本変形例での一覧画面３１の画面遷移例を説明するための図である。
初期状態である一覧画面３１ａと、上キー２１、下キー２２を短押しした一覧画面３１ｂ、一覧画面３１ｄは、図７と同様である。
【００４８】
一覧画面３１ａの状態で上キー２１を長押しすると一覧画面３１ｆに遷移する。
一覧画面３１ｆでは、上キー２１が長押しされる前に表示されていた相手先データの１画面分（相手先データ４件分）上の相手先データがページスクロールされて表示され、フォーカスは画面中最も上の相手先データに移動する。
【００４９】
この例では、一覧画面３１ａで表示されている相手先データの最も上に表示されている「相田」を基準とし、図５の相手先データにおいて「相田」の上の４件分である「相川」〜「猪井」が表示される。
なお、例えば、「相田」〜「飯盛」が表示されている場合、上の相手先データは、「相川」、「相沢」の２件で４件に満たないが、この場合には、「相川」〜「猪井」といったように、相手先データの最上位から１画面分（４件分）が表示される。
【００５０】
また、一覧画面３１ａの状態で下キー２２を長押しすると一覧画面３１ｇに遷移する。
一覧画面３１ｇでは、下キー２２が長押しされる前に表示されていた相手先データの１画面分（相手先データ４件分）下の相手先データがページスクロールされて表示され、フォーカスは画面中最も下の相手先データに移動する。
【００５１】
この例では、一覧画面３１ａで表示されている相手先データの最も下に表示されている「飯盛」を基準とし、図５の相手先データにおいて「飯盛」の下の４件分である「猪狩」〜「早乙女」が表示される。
なお、例えば、「猪狩」〜「早乙女」が表示されている場合、下の相手先データは、３件で４件に満たないが、この場合には、「早乙女」〜「Ｙａｎ」といったように、相手先データの最下位から１画面分（４件分）が表示される。
【００５２】
このように、本変形例では、１画面で表示できる相手先データの件数（４件）と、長押しで表示を切り替える相手先データの件数（４件）が同じであるため、ページスクロールとなったが、例えば、３件分表示を切り替えるなど、画面単位でなくてもよい。
また、フォーカス移動の際は、「ア→イ→ウ→・・・→ア→イ→ウ→・・・」のように循環するように設定し、ページスクロールが相手先データの下端に達した場合、「Ｙａｎ」、「相川」、「相沢」、「相田」のように表示してもよい。
【００５３】
図１０は、本変形例において、携帯電話１が一覧画面３１でフォーカスを移動する手順を説明するためのフローチャートである。
以下の処理は、ＣＰＵ２が電話帳プログラム１１に従って行うものである。なお、図８と同じステップには、同じステップ番号を付し、説明を簡略化、又は省略する。
【００５４】
まず、携帯電話１は、電話帳データ記憶部１２に記憶された相手先データを検索して一覧表示して（ステップ５）、上キー２１、又は下キー２２が押下されたか否かを監視する（ステップ１０）。
上キー２１、又は下キー２２が長押しされると（ステップ１０；長押し）、携帯電話１は、キーに従って表示する相手先データを上、又は下にページスクロールする（ステップ４０）。
ユーザが操作によって電話帳機能を終了させる場合（ステップ３０；Ｙ）、携帯電話１は、電話帳機能を終了し、電話帳機能を終了させない場合（ステップ３０；Ｎ）、携帯電話１は、ステップ１０に戻る。
【００５５】
一方、ステップ１０で上キー２１、又は下キー２２が短押しされると（ステップ１０；短押し）、携帯電話１は、キーに従って上、又は下に１つ分だけフォーカスを移動し（ステップ３５）、ステップ１０に戻る。
【００５６】
以上に説明した実施の形態、及び変形例により次のような効果を得ることができる。
（１）上キー２１、下キー２２に短押しと長押しによる２つの状態を設定することにより、フォーカスの移動態様を２種類設定することができる。
（２）カーソル３２を移動するカーソルキー（上キー２１、下キー２２）だけでフォーカスを移動することができる。
（３）上下方向にフォーカスが移動が可能であるため、より少ない操作回数で所望の相手先データを選択できる。
（４）実施の形態では、カーソルキー（上キー２１、下キー２２）の短押しによってフォーカスを１つ前後（画面上は上下）に移動し、長押しによってフォーカスを読みの頭文字が異なる相手先データに移動することができる。
【００５７】
以上では、上キー２１、下キー２２の短押し、長押しによって２つのフォーカスの移動モードを設定したが、例えば、ダブルクリックとシングルクリックによって２つの移動モードを設定するなど、他の状態量により２つの移動モードを設定するように構成することもできる。
【図面の簡単な説明】
【００５８】
【図１】本実施の形態に係る携帯電話の外観を示した図である。
【図２】変形例に係る携帯電話の外観を示した図である。
【図３】電話帳画面の一例を示した図である。
【図４】携帯電話のハードウェア的な構成を示した図である。
【図５】電話帳データ記憶部に記憶された相手先データを示した図である。
【図６】携帯電話の機能的な構成を説明するための図である。
【図７】一覧画面の画面遷移例を説明するための図である。
【図８】携帯電話がフォーカスを移動する手順を説明するためのフローチャートである。
【図９】変形例に係る一覧画面の画面遷移例を説明するための図である。
【図１０】変形例に係る携帯電話がフォーカスを移動する手順を説明するためのフローチャートである。
【符号の説明】
【００５９】
１  携帯電話
３  スピーカ
４  ディスプレイ
５  キー
６  マイク
１５  機能キー
１６  文字キー
２１  上キー
２２  下キー
２３  決定キー
【図１】
2009194636.tif 000003
【図２】
2009194636.tif 000004
【図３】
2009194636.tif 000005
【図４】
2009194636.tif 000006
【図５】
2009194636.tif 000007
【図６】
2009194636.tif 000008
【図７】
2009194636.tif 000009
【図８】
2009194636.tif 000010
【図９】
2009194636.tif 000011
【図１０】
2009194636.tif 000012